(57)【要約】【目的】使用時に持ち手の長さを長くすることができ、しかも、不使用時において、屈曲した操作体を、別途留め具を必要とすることなく、折り曲げ部の角度が広がった状態に保つことが可能なまつ毛カール器を提供すること。【構成】この発明のまつ毛カール器は、持ち手１の上方に設けた枠体２の内側において上下動可能としたスライド体３と、スライド体３を上下動させるための操作体４を有し、スライド体３と枠体２の上部２ａとの間にまつ毛を挟んでカールさせられるようにしたまつ毛カール器であって、持ち手１が、回動可能に連結された上部１ａと下部１ｂからなる折り畳み可能なものとしている。【選択図】　図１
2004057579.tif 000002
【特許請求の範囲】
【請求項１】
持ち手（１）の上方に設けた枠体（２）の内側において上下動可能としたスライド体（３）と、スライド体（３）を上下動させるための操作体（４）を有し、スライド体（３）と枠体（２）の上部（２ａ）との間にまつ毛を挟んでカールさせられるようにしたまつ毛カール器であって、持ち手（１）が、回動可能に連結された上部（１ａ）と下部（１ｂ）からなる折り畳み可能なものとしていることを特徴とするまつ毛カール器。
【請求項２】
操作体（４）は、上端がスライド体（３）に取り付けられ、下端が持ち手（１）に取り付けられ、中間に折り曲げ部（４ａ）が形成されており、前方に屈曲するように付勢されているものとし、持ち手（１）の折り畳み時において、操作体（４）が持ち手（１）の下部（１ｂ）に押されて折り曲げ部（４ａ）の角度が広がるようにしている請求項１記載のまつ毛カール器。
【請求項３】
持ち手（１）の折り畳み時において、持ち手（１）の下部（１ｂ）に形成された穴（９）に、操作体（４）の一部が収容されるようにしている請求項１又は２記載のまつ毛カール器。
【発明の詳細な説明】
【０００１】
【発明の属する技術分野】
この発明は、まつ毛をカールさせるために使用するまつ毛カール器に関するものである。
【０００２】
【従来の技術】
従来より、持ち手の上方に設けた枠体の内側において上下動可能としたスライド体と、スライド体を上下動させるための操作体を有し、スライド体と枠体の上部との間にまつ毛を挟んでカールさせられるようにしたまつ毛カール器が使用されている。
【０００３】
前記操作体は、上端がスライド体に取り付けられ、下端が持ち手に取り付けられ、中間に折り曲げ部が形成されており、前方（使用者の手前側）に屈曲するように付勢されたものとなっており、使用者が操作体を指で持ち手側に押して折り曲げ部の角度を広げてひしゃげさせたり、操作体から指を離して元の屈曲した状態に復帰させたりすることにより、スライド体を上下動させられるようにしている。
【０００４】
この種のまつ毛カール器は、携帯するのに便利なように、持ち手の長さを短くすることが望ましいが、持ち手の長さを短くしたものは、使用時に持ちにくく、使用しづらいという欠点があった。
【０００５】
また、通常の状態では、前記屈曲した操作体が突出した状態となっているため、販売用のパッケージや携帯用のケース等に収容する場合等、不使用時においては、折り曲げ部の角度が広がった状態に保つための留め具が必要となっていた。
【０００６】
【発明が解決しようとする課題】
そこで、この発明は、使用時に持ち手の長さを長くすることができ、しかも、不使用時において、屈曲した操作体を、別途留め具を必要とすることなく、折り曲げ部の角度が広がった状態に保つことが可能なまつ毛カール器を提供することを課題とする。
【０００７】
【課題を解決するための手段】
前記課題を解決するため、この発明は次のような技術的手段を講じている。
【０００８】
この発明のまつ毛カール器は、持ち手１の上方に設けた枠体２の内側において上下動可能としたスライド体３と、スライド体３を上下動させるための操作体４を有し、スライド体３と枠体２の上部２ａとの間にまつ毛を挟んでカールさせられるようにしたまつ毛カール器であって、持ち手１が、回動可能に連結された上部１ａと下部１ｂからなる折り畳み可能なものとしている。
【０００９】
前記操作体４は、上端がスライド体３に取り付けられ、下端が持ち手１に取り付けられ、中間に折り曲げ部４ａが形成されており、前方に屈曲するように付勢されているものとし、持ち手１の折り畳み時において、操作体４が持ち手１の下部１ｂに押されて折り曲げ部４ａの角度が広がるようにすることができる。
【００１０】
また、持ち手１の折り畳み時において、持ち手１の下部１ｂに形成された穴９に、操作体４の一部が収容されるようにしてよい。
【００１１】
【発明の実施の態様】
以下、この発明の実施の形態を、図面を参照して説明する。
【００１２】
この発明のまつ毛カール器は、持ち手１の上方に設けた枠体２の内側において上下動可能としたスライド体３と、スライド体３を上下動させるための操作体４を有し、スライド体３と枠体２の上部２ａとの間にまつ毛を挟んでカールさせられるようにしたまつ毛カール器であって、持ち手１が、回動可能に連結された上部１ａと下部１ｂからなる折り畳み可能なものとしている。
【００１３】
図１は、この発明のまつ毛カール器の持ち手１を展開した状態を示す斜視図、図２は、持ち手１を折り畳んだ状態を示す斜視図、図３は、持ち手１を展開したときの縦断面図、図４は、持ち手１を折り畳み中のときの縦断面図、図５は、持ち手１を完全に折り畳んだときの縦断面図、図６は、スライド体３と操作体４で、スライド体３の弾性部材１１を取り外した場合の正面図である。
【００１４】
このまつ毛カール器は、主としてプラスチック製の部品で構成されているが、他の素材からなる部品で構成することもできる。
【００１５】
持ち手１は、上部１ａと、上部１ａの下端部に軸着された下部１ｂとからなり、展開した状態で約１０ｃｍ程度の長さになるようにしている。
【００１６】
持ち手１の上部１ａは、その前側に凹部５が形成されており、持ち手１の折り畳み時において、この凹部５に操作体４の大部分が収容されるようになっている。
【００１７】
持ち手１の下部１ｂは、上部１ａより長く形成されており、折り畳み時においては、その下端部６が枠体２の上部２ａ付近に達するようにしている。持ち手１の下部１ｂは、そのほぼ下半分が内側に折れ曲がった形状となっており、この折れ曲がった部分の少し下の前側の左右縁部に１つずつ、突起状の係合部８を有している。この係合部８は、持ち手１の折り畳み時において、スライド体３が上昇してできたスライド体３と枠体２の下部２ｂとの間の隙間に進入し、持ち手１の上端面ないし枠体２の下部２ｂの上面７に乗り上げ、この上面７に押圧される態様で接触し、持ち手１を折り畳んだ状態が保持されるようになっている。
【００１８】
また、持ち手１の下部１ｂの上部には、穴９が形成されており、持ち手１の折り畳み時において、後述の押圧部４ｂが入るようにしている。
【００１９】
枠体２は、上部２ａ、下部２ｂ、左部２ｃ、及び右部２ｄからなる四角形状で、持ち手１の上部１ａと一体成形したものとすることができる。枠体２の上部２ａと下部２ｂは後方に湾曲しており、左部２ｃと右部２ｄは、スライド体３の左端部３ａ、右端部３ｂが摺動自在となっている。なお、この実施形態では、持ち手１の上部１ａと枠体２を一体成形しているため、持ち手１の上端面は、枠体２の下部２ｂの上面７の一部となっている。
【００２０】
スライド体３は、前記枠体２の上部２ａ及び下部２ｂと同様に後方に湾曲した横長の片で、その上端部に形成された溝１０にシリコンゴム等の弾性部材１１が取り付けられている。なお、持ち手１の下部１ｂ設けられた弾性部材１１と同形状の溝に、取替え用の弾性部材１１´が備えられている。
【００２１】
操作体４は、スライド体３とで略Ｔ字状の形状を構成する。操作体４はスライド体３と一体成形したものとすることができる。操作体４の上端は、折り曲げ可能な薄肉部１２を介してスライド体３の中央部の下側に取り付けられており、操作体４の下端は、その左右に形成された軸部１３が、持ち手１の上部１ａの凹部５の下端付近の左右に形成された穴に回動自在に嵌められることにより、持ち手１に取り付けられている。
【００２２】
折り曲げ部４ａは、操作体４のほぼ中央に形成された薄肉部分としている。操作体４は、その折り曲げ部４ａが付勢部材１４によって前方に屈曲するように付勢されている。付勢部材１４は、金属製のコイルバネとしており、その一端が操作体４の折り曲げ部４ａのすぐ下の押圧部４ｂの後側に固定され、その他端が持ち手１の上部１ａの凹部５の底に固定されている。
【００２３】
操作体４において、折り曲げ部４ａのすぐ下には、前側に指によくフィットする凹みを有する押圧部４ｂが形成されており、使用者はこの押圧部４ｂを指で押して折り曲げ部４ａの角度を広げ、操作体４をひしゃげさせることにより、スライド体３を上昇させることができ、押圧部４ｂから指を離し、操作体４を元の屈曲した状態に復帰させることにより、スライド体３を下降させることができる。
【００２４】
以上の通り、このまつ毛カール器は、持ち手１を展開及び折り畳みできるようになっているため、使用時においては、持ち手１を展開して持ちやすい長さとすることができ、不使用時においては、持ち手１を折り畳むことにより、コンパクトにすることができる。
【００２５】
また、持ち手１を折り畳んだときには、操作体４が持ち手１の下部１ｂに押されて折り曲げ部４ａの角度が広がり、操作体４がひしゃげた状態になるので、単に持ち手１が短くなるだけでなく、厚みも小さくなる。従って、このまつ毛カール器を販売用のパッケージや携帯用のケース等に収容する場合には、操作体４をひしゃげさせた状態に保つための留め具を別途必要とすることもなく、便利である。
【００２６】
しかも、持ち手１の下部１ｂは、操作体４等を覆うカバーとしても機能し、これによって操作体４等の破損が防止されるとともに、手で持ちやすくなる。
【００２７】
なお、持ち手１の折り畳み時においても、操作体４が完全に平坦になるようにする必要は無く、少し屈曲した状態であってもよい。この実施形態では、持ち手１を折り畳んだとき、操作体４は少し屈曲しており、図２や図５に現れているように、持ち手１の下部１ｂの上部に形成された穴９に、操作体４の押圧部４ｂが一部前方に突出した態様で収容されるようにしている。
【００２８】
【発明の効果】
この発明のまつ毛カール器は、上述のような構成を有しており、使用時に持ち手１の長さを長くすることができ、しかも、不使用時において、屈曲した操作体４を、別途留め具を必要とすることなく、折り曲げ部４ａの角度が広がった状態を保つことが可能である。
【図面の簡単な説明】
【図１】この発明のまつ毛カール器の、持ち手を展開した状態を示す斜視図。
【図２】この発明の実施形態のまつ毛カール器の、持ち手を折り畳んだ状態を示す斜視図。
【図３】この発明の実施形態のまつ毛カール器の、持ち手を展開したときの縦断面図。
【図４】この発明の実施形態のまつ毛カール器の、持ち手を折り畳み中のときの縦断面図。
【図５】この発明の実施形態のまつ毛カール器の、持ち手を完全に折り畳んだときの縦断面図。
【図６】この発明の実施形態のまつ毛カール器のスライド体と操作体で、スライド体の弾性部材を取り外した場合の正面図。
【符号の説明】
１　持ち手
１ａ　持ち手の上部
１ｂ　持ち手の下部
２　枠体
２ａ　枠体の上部
３　スライド体
４　操作体
４ａ　折り曲げ部
７　枠体の下部の上面
８　係合部
９　穴
【図１】
2004057579.tif 000003
【図２】
2004057579.tif 000004
【図３】
2004057579.tif 000005
【図４】
2004057579.tif 000006
【図５】
2004057579.tif 000007
【図６】
2004057579.tif 000008